(57)【要約】【課題】光源から出射されたレーザー光の強度の減衰量を極めて少なく抑えて熱レンズ分析装置に入射させることが可能な熱レンズ分析用光ファイバーカプラ、およびこれを備えた熱レンズ分析装置を提供する。【解決手段】一端が第１波長の第１レーザー光を出射する第１光源に接続される第１光ファイバーと、一端が第２波長の第２レーザー光を出射する第２光源に接続される第２光ファイバーと、第１光ファイバーおよび第２光ファイバーが合流する合流部と、合流部から延び、第１光ファイバーと第２光ファイバーとが一体に融着された融着部と、を少なくとも備え、融着部において、第１レーザー光の損失量をＥＬ（ｄｂ）、試料の吸光度をＡｂとした時に、ＥＬ／Ａｂ≦０．２５を満たすことを特徴とする。【選択図】図１
2019117131.tif 000002
【特許請求の範囲】
【請求項１】
互いに波長が異なる複数のレーザー光を試料に入射させ、前記試料の熱レンズ効果に基づいて前記試料を分析する熱レンズ分析装置に用いる熱レンズ分析用光ファイバーカプラであって、
一端が第１波長の第１レーザー光を出射する第１光源に接続される第１光ファイバーと、一端が第２波長の第２レーザー光を出射する第２光源に接続される第２光ファイバーと、前記第１光ファイバーおよび前記第２光ファイバーが合流する合流部と、該合流部から延び、前記第１光ファイバーと前記第２光ファイバーとが一体に融着された融着部と、を少なくとも備え、
前記融着部において、前記第１レーザー光の損失量をＥＬ（ｄｂ）、前記試料の吸光度をＡｂとした時に、ＥＬ／Ａｂ≦０．２５を満たすことを特徴とする熱レンズ分析用光ファイバーカプラ。
【請求項２】
前記第１光ファイバーおよび前記第２光ファイバーは、コアがＧｅＯ２をドープした石英ガラスからなり、クラッドが石英ガラスからなり、前記融着部の前記合流部側から、前記熱レンズ分析装置に接続される他端側までの前記融着部の長さが５ｃｍ以下であることを特徴とする請求項１記載の熱レンズ分析用光ファイバーカプラ。
【請求項３】
前記第１光ファイバーおよび前記第２光ファイバーは、コアが不純物をドープさせない石英ガラスからなることを特徴とする請求項１記載の熱レンズ分析用光ファイバーカプラ。
【請求項４】
請求項１ないし３いずれか一項記載の熱レンズ分析用光ファイバーカプラを備えた熱レンズ分析装置であって、
前記第１光源と、前記第２光源と、前記熱レンズ分析用光ファイバーカプラと、熱レンズ測定部と、を有し、
前記熱レンズ測定部は、１つないし複数のレンズからなり前記第１レーザー光および前記第２レーザー光を前記試料中に集束させるレンズ体と、前記第２波長の第２レーザー光を検出する検出器とを備えていることを特徴とする熱レンズ分析装置。
【発明の詳細な説明】
【技術分野】
【０００１】
この発明は、熱レンズ分析装置に用いる波長の異なる２つの光を光源から試料に向けて伝搬させる熱レンズ分析用光ファイバーカプラ、およびこれを用いた熱レンズ分析装置に関する。
【背景技術】
【０００２】
例えば、マイクロスケールの微細空間は、混合・反応時間の短縮化、試料・試薬量の大幅な低減、小型デバイス化などが期待されており、診断・分析などの分野で利用することが期待されている。例えば、数センチメートル角のガラス基板（マイクロチップ）上に、数百μｍ以下の溝からなるマイクロチャネル（マイクロ流路）を形成し、このマイクロチャネルに化学システムを集積化する。
【０００３】
また、近年、ナノスケールの微細空間は、マイクロスケールの微細空間と比べて溶液物性が特異な性質を示すことから、ガラス基板上に、数十〜数百ｎｍのナノチャネル（ナノ流路、拡張ナノ流路）を形成し、このナノチャネルの特異な化学・物理的特性を利用して革新的機能デバイスを実現することがさらに大きな注目を集めている。例えば、大きさが数十μｍの細胞一個のタンパク質などを、それよりも圧倒的に小さな空間である拡張ナノ空間で分析することで、これまでの多数細胞の平均ではわからなかった各細胞固有の機能解析が可能となり、癌診断などへと応用できる。また、極微細空間であることを利用して分子一個で測定でき、超高感度な分析ツールになることも期待される。
【０００４】
このようなマイクロチャネルやナノチャネルなどに代表されるチャネルを備えた革新的な機能デバイスを実現するにあたり、その性能（物質量）を正確に捉えるための実験、研究ツールを創作することも非常に重要である。
【０００５】
例えば、マイクロチャネル内の試料溶液に対しては、熱レンズ顕微鏡（ＴＬＭ）を用いることにより、試料溶液の分子濃度（多数の分子の個数平均）を高精度で測定することができる（例えば、特許文献１参照）。
【先行技術文献】
【特許文献】
【０００６】
【特許文献１】特開２００２−２９６２０７号公報
【発明の概要】
【発明が解決しようとする課題】
【０００７】
従来の熱レンズ顕微鏡（熱レンズ分析装置）では、励起光である第１波長の第１レーザー光と、プローブ光である第２波長の第２レーザー光とを、それぞれ別な光源から出射させ、１本の光ファイバに入射させてプリズムに向けて伝搬させる必要がある。従来、互いに異なる２波長のレーザー光を１本の光ファイバーで伝搬させるには、複数のミラーやハーフミラーを組み合わせて、２つのレーザー光を１つの光軸上に合致させていた。
【０００８】
しかしながら、こうした構成では、ミラーやハーフーミラーによるレーザー光の減衰が大きく、また、２つのレーザー光の光軸ずれも発生しやすいため、極めて僅かなレーザー光の減衰も分析精度に大きな影響を及ぼす熱レンズ顕微鏡などに用いることは現実的ではなかった。
【０００９】
一方、複数本の光ファイバーの一方の端部側を融着して１本の光ファイバーにした、従来の融着型の光ファイバーカプラを用いて、励起光である第１波長の第１レーザー光と、プローブ光である第２波長の第２レーザー光とを１本の光ファイバーで伝搬させる場合に、減衰が少ない光通信に用いられる融着型の光ファイバーカプラであっても、僅かな減衰がある。本願発明者は、熱レンズ顕微鏡に適用する場合には、こうした僅かな減衰によって、バックグラウンド熱レンズ信号を大きく発生するため、従来の融着型の光ファイバーカプラでは、熱レンズ顕微鏡による低濃度の試料の測定には使えないという課題を見出した。
【００１０】
本発明は、前述した状況に鑑みてなされたものであって、光源から出射されたレーザー光の強度の減衰量を極めて少なく抑えて熱レンズ分析装置に入射させることが可能な熱レンズ分析用光ファイバーカプラ、およびこれを備えた熱レンズ分析装置を提供することを目的とする。
【課題を解決するための手段】
【００１１】
すなわち、本発明の熱レンズ分析用光ファイバーカプラは、以下の構成を有する。
互いに波長が異なる複数のレーザー光を試料に入射させ、前記試料の熱レンズ効果に基づいて前記試料を分析する熱レンズ分析装置に用いる熱レンズ分析用光ファイバーカプラであって、一端が第１波長の第１レーザー光を出射する第１光源に接続される第１光ファイバーと、一端が第２波長の第２レーザー光を出射する第２光源に接続される第２光ファイバーと、前記第１光ファイバーおよび前記第２光ファイバーが合流する合流部と、該合流部から延び、前記第１光ファイバーと前記第２光ファイバーとが一体に融着された融着部と、を少なくとも備え、前記融着部において、前記第１レーザー光の損失量をＥＬ（ｄｂ）、前記試料の吸光度をＡｂとした時に、ＥＬ／Ａｂ≦０．２５を満たすことを特徴とする。
【００１２】
本発明によれば、前記融着部において、第１レーザー光の損失量をＥＬ（ｄｂ）、試料の吸光度をＡｂとした時に、ＥＬ／Ａｂ≦０．２５を満たすことで、光源からのレーザー光が光ファイバにより僅かに減衰しただけでも分析精度の低下をもたらす熱レンズ分析装置であっても、複数の光源からのレーザー光を減衰させずに入射させることができ、熱レンズ分析装置を用いた低濃度の試料の分析を行うことができる。
【００１３】
また、本発明では、前記第１光ファイバーおよび前記第２光ファイバーは、コアがＧｅＯ２をドープした石英ガラスからなり、クラッドが石英ガラスからなり、前記融着部の前記合流部側から、前記熱レンズ分析装置に接続される他端側までの前記融着部の長さが５ｃｍ以下であることを特徴とする。
【００１４】
また、本発明では、前記第１光ファイバーおよび前記第２光ファイバーは、コアが不純物をドープさせない石英ガラスからなることを特徴とする。
【００１５】
また、本発明の熱レンズ分析装置は、以下の構成を有する。
前記各項記載の熱レンズ分析用光ファイバーカプラを備えた熱レンズ分析装置であって、前記第１光源と、前記第２光源と、前記熱レンズ分析用光ファイバーカプラと、熱レンズ測定部と、を有し、前記熱レンズ測定部は、１つないし複数のレンズからなり前記第１レーザー光および前記第２レーザー光を前記試料中に集束させるレンズ体と、前記第２波長の第２レーザー光を検出する検出器とを備えていることを特徴とする。
【発明の効果】
【００１６】
本発明の熱レンズ分析用光ファイバーカプラによれば、光源から出射されたレーザー光の強度の減衰量を極めて少なく抑えて熱レンズ分析装置に入射させることが可能な熱レンズ分析用光ファイバーカプラ、およびこれを備え、分析精度を高めた熱レンズ分析装置を提供することが可能になる。
【図面の簡単な説明】
【００１７】
【図１】本発明の熱レンズ分析用光ファイバーカプラを備えた熱レンズ分析装置の一例である熱レンズ顕微鏡を示す概略構成図である。
【図２】熱レンズ分析用光ファイバーカプラを示す要部拡大断面図である。
【図３】熱レンズ顕微鏡を示す模式図である。
【図４】本発明の検証結果を示すグラフである。
【図５】実施例で用いた光ファイバーの減衰特性を示すグラフである。
【発明を実施するための形態】
【００１８】
以下、図面を参照して、本発明の一実施形態の熱レンズ分析用光ファイバーカプラ、および熱レンズ分析装置について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
図１は、本発明の熱レンズ分析用光ファイバーカプラを備えた熱レンズ分析装置の一例である熱レンズ顕微鏡を示す概略構成図である。また、図２は、熱レンズ分析用光ファイバーカプラを示す要部拡大断面図である。
本実施形態の熱レンズ顕微鏡Ｂは、第１光源Ｂ１と、第２光源Ｂ２と、光ファイバーカプラ（熱レンズ分析用光ファイバーカプラ）Ｂ３と、顕微鏡本体部Ｂ４とを備えている。
【００２０】
第１光源Ｂ１は、後述する励起光Ｓである第１波長の第１レーザー光（以下、励起光Ｓと称する）を出射する。この励起光Ｓは、その波長（第１波長）が４８８ｎｍ（あるいは４７６．５ｎｍ）のＡｒ＋レーザー光であればよい。第１光源Ｂ１は、Ａｒ＋レーザー光を発するアルゴンレーザー装置が用いられる。
【００２１】
第２光源Ｂ２は、後述するプローブ光Ｐである第２波長の第２レーザー光（以下、プローブ光Ｐと称する）を出射する。このプローブ光Ｐは、その波長（第２波長）が波長が６３３ｎｍのＨｅ−Ｎｅレーザー光であればよい。第２光源Ｂ２は、Ｈｅ−Ｎｅレーザー光を発するＨｅ−Ｎｅレーザー装置が用いられる。
【００２２】
本発明の光ファイバーカプラ（熱レンズ分析用光ファイバーカプラ）Ｂ３は、複数の光ファイバー、本実施形態では２本の光ファイバーである第１光ファイバー２１および第２光ファイバー２２の一部を互いに融着させて１本の光ファイバーにしたものであり、第１光ファイバー２１および第２光ファイバー２２がそれぞれ独立して延びる分離部Ｅ１と、第１光ファイバー２１および第２光ファイバー２２が合流する合流部Ｅ２と、この合流部Ｅ２から延び、第１光ファイバー２１と第２光ファイバー２２とが一体に融着されて一本の光ファイバーになった融着部Ｅ３とを備えている。
【００２３】
第１光ファイバー２１および第２光ファイバー２２は、それぞれコア２１ａ，２２ａと、その周囲を取り巻くクラッド２１ｂ，２２ｂとからなる。こうした光ファイバー２１，２２は、クラッド２１ｂ，２２ｂを構成する材料がコア２１ａ，２２ａを構成する材料よりも屈折率が低い材料を選択することによって、レーザー光がコア２１ａ，２２ａ内を屈折、および全反射を繰り返して伝搬する。
【００２４】
第１光ファイバー２１および第２光ファイバー２２としては、レーザー光の減衰が極めて少ないものを選択する。本実施形態では、融着部Ｅ３において、励起光（第１レーザー光）Ｓの損失量をＥＬ（ｄｂ）、試料の吸光度をＡｂとした時に、ＥＬ／Ａｂ≦０．２５を満たすものを用いる。
【００２５】
上述したＥＬ／Ａｂ≦０．２５を満たすために、第１光ファイバー２１および第２光ファイバー２２のコア２１ａ，２２ａとして、減衰が殆ど無い純粋な（不純物ドープの無い）石英ガラス（ＳｉＯ２）を用い、クラッド２１ｂ，２２ｂとしてフッ素ドープした石英ガラスを用いる。こうした材料構成によって、光ファイバーカプラＢ３全体における第１光ファイバー２１および第２光ファイバー２２の第１波長と第２波長のレーザー光に対する吸収損失量を極めて少なくすることができる。
【００２６】
一方、こうしたコア２１ａ，２２ａに不純物ドープの無い石英ガラスを用いた場合、後述する合流部Ｅ２から融着部Ｅ３において、２つの第１光ファイバー２１および第２光ファイバー２２を融着することが難しいことがある。このため、第１光ファイバー２１および第２光ファイバー２２のコア２１ａ，２２ａとして、二酸化ゲルマニウム（ＧｅＯ２）をドープした石英ガラス（ＳｉＯ２）を用い、クラッド２１ｂ，２２ｂとして石英ガラスを用いることができる。
【００２７】
この場合、コア２１ａ，２２ａの屈折率を高めるために導入する二酸化ゲルマニウムが、不純物をドープしない純粋な石英ガラスよりも第１波長と第２波長のレーザー光を減衰させる。このため、第１光ファイバー２１および第２光ファイバー２２のコア２１ａ，２２ａとして二酸化ゲルマニウムをドープした石英ガラスを用いる場合、後述する融着部Ｅ３の長さを５ｃｍ以下にすることによって、長さが長くなることによるレーザー光の減衰量の増大を抑制する。このように融着部Ｅ３の長さを５ｃｍ以下にすることによって、融着部Ｅ３において、励起光（第１レーザー光）Ｓの損失量をＥＬ（ｄｂ）、試料の吸光度をＡｂとした時に、ＥＬ／Ａｂ≦０．２５を満たすことができる。
【００２８】
合流部Ｅ２は、第１光ファイバー２１および第２光ファイバー２２を並列に接触させた状態から、徐々に第１光ファイバー２１および第２光ファイバー２２が完全に１つに融着されるまでの部位である。この合流部Ｅ２では、第１光ファイバー２１および第２光ファイバー２２は、徐々に引き延ばされて熱融着される。
【００２９】
合流部Ｅ２に繋がる融着部Ｅ３は、第１光ファイバー２１および第２光ファイバー２２が融着によって一体化され、１本になった部位である。この融着部Ｅ３は、励起光Ｓおよびプローブ光Ｐの減衰量を少なくするために、長さを極力短くすることが好ましい。特に、第１光ファイバー２１および第２光ファイバー２２のコア２１ａ，２２ａとして二酸化ゲルマニウムをドープした石英ガラスを用いる場合融着部Ｅ３の長さを５ｃｍ以下にする。これにより、融着部Ｅ３において、励起光（第１レーザー光）Ｓの損失量をＥＬ（ｄｂ）、試料の吸光度をＡｂとした時に、ＥＬ／Ａｂ≦０．２５を満たすことができる。
【００３０】
なお、光ファイバーカプラＢ３を構成する分離部Ｅ１における第１光ファイバー２１および第２光ファイバー２２の一端には、それぞれコネクタＣ１，Ｃ２が形成され、このコネクタＣ１，Ｃ２を介して第１光源Ｂ１および第２光源Ｂ２に、第１光ファイバー２１および第２光ファイバー２２がそれぞれ直接接続される。
また、融着部Ｅ３の端部にはコネクタＣ３が形成され、顕微鏡本体部Ｂ４に接続される。
【００３１】
なお、本発明の光ファイバーカプラ（熱レンズ分析用光ファイバーカプラ）は、本実施形態のように、２つの光ファイバーを１つにする以外にも、複数の光ファイバー、例えば３つ以上の光ファイバーを融着したものであってもよい。この場合、３つ以上の光源から照射される互いに異なる波長のレーザー光を、融着部で１つの光軸上に纏めたレーザー光として出射させることができる。
【００３２】
次に、本発明の光ファイバーカプラ（熱レンズ分析用光ファイバーカプラ）Ｂ３を備えた熱レンズ分析装置の一例について説明する。以下の説明では、熱レンズ分析装置である熱レンズ顕微鏡（ＴＬＭ）の顕微鏡本体部Ｂ４の構成を説明する。
図３は、熱レンズ顕微鏡（熱レンズ分析装置）の検出部分を示す要部拡大模式図である。
本実施形態は、例えば、ガラス基板（マイクロチップ）上に形成されたチャネル（例えば、ナノスケールやマイクロスケールの微細空間）の化学・物理的特性を利用する機能デバイスを実現するにあたり、チャネル内の分子の物質量を捉えるための実験、研究ツールとして利用可能な熱レンズ顕微鏡である。例えば、ナノチャネル内の試料溶液中の分子を単一分子レベルで捉え、分子数の定量を精度よく行なうことが可能な熱レンズ顕微鏡に関するものである。なお、本実施形態の熱レンズ顕微鏡は、勿論、ナノチャネルに限らず、マイクロチャネル（マイクロスケールの微細空間）、あるいはこれ以外のサイズのチャネルにおける試料溶液の分子の定量、定性にも利用可能である。
【００３３】
本実施形態の熱レンズ顕微鏡Ｂの顕微鏡本体部Ｂ４は、熱レンズ測定部を構成する、レンズ体９、カラーフィルタ１４、偏光フィルタ１５、および検出器８を備えて構成されている。
レンズ体９には、第１光源Ｂ１および第２光源Ｂ２（図１参照）から出射され、光ファイバーカプラＢ３で１つの光軸上を伝搬するようにされた第一波長（４８８ｎｍあるいは４７６．５ｎｍ）の励起光Ｓおよび第２波長（６３３ｎｍ）のプローブ光Ｐが入射される。
【００３４】
レンズ体９は、複数のレンズを組み合わせて構成したものであり、本実施形態では、対物レンズが用いられている。このレンズ体９は、プローブ光Ｐ１及び励起光Ｓを、チャネル２内の試料溶液３中に絞り込むように出射させる。
【００３５】
カラーフィルタ１４は、チャネル２内の試料溶液３を透過したプローブ光Ｐ１及び励起光Ｓを受光し、励起光Ｓを除去してプローブ光Ｐ１のみを通過させる。偏光フィルタ１５は、カラーフィルタ１４を通過したプローブ光Ｐ１のうちの一部であるプローブ光Ｐ２をピンホールから通過させる。検出器８は、偏光フィルタ１５のピンホールを通過したプローブ光Ｐ２の強度を検出する。
【００３６】
このような構成の顕微鏡本体部Ｂ４のチャネル２内の試料溶液３中にビームスポット（ビームウエスト）が生じるように、励起光Ｓとプローブ光Ｐの２種類のレーザー光を試料溶液３に絞り込んで照射すると、励起光Ｓのビームスポットからの熱拡散によってプローブ光Ｐの光路に急勾配の温度分布が生成する。このとき、屈折率が温度変化と比例の関係にあるため、温度分布が光学的な凹レンズとして作用する熱レンズ４がマイクロチャネル２内に形成される。そして、試料溶液３の性質（分子３ａ濃度の大小）に応じて異なる屈折率の熱レンズ４が形成されるため、熱レンズ効果によって屈折した後のプローブ光Ｐの強度（シグナル）を捉えることで、試料溶液３の分子濃度を定量することができる。
【００３７】
以上のような、本発明の熱レンズ分析用光ファイバーカプラＢ３、およびこれを用いた熱レンズ顕微鏡（熱レンズ分析装置）Ｂによれば、第１波長の励起光Ｓの光源となる第１光源Ｂ１に接続される第１光ファイバー２１と、第２波長のプローブ光Ｐの光源となる第２光源Ｂ２に接続される第２光ファイバー２２と、第１光ファイバー２１および第２光ファイバー２２が合流する合流部Ｅ２と、第１光ファイバー２１と第２光ファイバー２２とが一体に融着された融着部Ｅ３とを少なくとも備え、融着部Ｅ３において、励起光（第１レーザー光）Ｓの損失量をＥＬ（ｄｂ）、試料の吸光度をＡｂとした時に、ＥＬ／Ａｂ≦０．２５を満たすようにすることで、光源からのレーザー光が僅かに減衰しただけでも、分析精度の低下をもたらす虞のある熱レンズ顕微鏡などの熱レンズ分析装置であっても、複数の光源からのレーザー光を減衰させずに入射させることができ、熱レンズ顕微鏡（熱レンズ分析装置）を用いた低濃度の試料の分析を行うことができる。
【００３８】
そして、第１光ファイバー２１および第２光ファイバー２２のコア２１ａ，２２ａをＧｅＯ２をドープした石英ガラス、クラッド２１ｂ，２２ｂを石英ガラスとして、融着部Ｅ３の合流部Ｅ２側から、熱レンズ顕微鏡（熱レンズ分析装置）Ｂの顕微鏡本体部Ｂ４に接続される他端側までの融着部Ｅ３の長さを５ｃｍ以下にすることで、融着部Ｅ３において、励起光（第１レーザー光）Ｓの損失量をＥＬ（ｄｂ）、試料の吸光度をＡｂとした時に、ＥＬ／Ａｂ≦０．２５を満たすことができる。
【００３９】
また、第１光ファイバー２１および第２光ファイバー２２のコア２１ａ，２２ａを不純物をドープさせない石英ガラスから構成することでも、融着部Ｅ３において、励起光（第１レーザー光）Ｓの損失量をＥＬ（ｄｂ）、試料の吸光度をＡｂとした時に、ＥＬ／Ａｂ≦０．２５を満たすことができる。
【００４０】
なお、本発明の熱レンズ分析装置は熱レンズ顕微鏡に限定されるものではなく、レーザー光を用いて熱レンズ効果を利用した分析装置であれば、どのようなものでもよい。
【００４１】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【実施例】
【００４２】
本発明の効果を検証した。検証にあたっては、上述した実施形態に示す熱レンズ顕微鏡Ｂを用意した。そして、濃度が０ｍｏｌ〜１×１０−４ｍｏｌの範囲の試料液を用意し、融着部の長さを５ｃｍにした熱レンズ分析用光ファイバーカプラ（本発明例）と、融着部の長さを１００ｃｍにした熱レンズ分析用光ファイバーカプラ（比較例）とをそれぞれ用いて、対象物質の濃度を測定した。
図４に、検証結果をグラフで示す。
図５に、実施例で用いた光ファイバーの減衰特性をグラフで示す。
図５によれば、実施例で用いた光ファイバーの減衰特性は、波長６５８ｎｍのレーザー光において、１ｄｂ／ｋｍとなっている。この場合、長さ１ｍでは減衰量は０．００１ｄｂとなり、吸光度４×１０−４以下は減衰によって測定できない。これを例えば、長さ５ｃｍとすれば、減衰量は０．００００５ｄｂとなり、吸光度２×１０−５が測定可能になる。
そして、図４に示す結果によれば、本発明例では、０ｍｏｌ〜１×１０−４ｍｏｌの全ての濃度範囲で、直線的に濃度が増加しており、低濃度域から高濃度域まで高精度に測定対象物質の濃度を正確に検出できることが確認された。一方、比較例では１０−６ｍｏｌ以下の低濃度領域での検出精度が、本発明例と比較して大きく劣っていた。本発明の効果が確認された。
【符号の説明】
【００４３】
２…マイクロチャネル（マイクロスケールの微細空間）
３…試料溶液
３ａ…分子
４…熱レンズ
８…検出器
９…レンズ体
２１…第１光ファイバー
２２…第２光ファイバー２２
Ｂ…熱レンズ顕微鏡
Ｅ３…融着部  
【図１】
2019117131.tif 000003
【図２】
2019117131.tif 000004
【図３】
2019117131.tif 000005
【図４】
2019117131.tif 000006
【図５】
2019117131.tif 000007